(57)【要約】      （修正有）【課題】容易に見栄えが良い状態に維持可能なティーグラウンドの構造を提供する。【解決手段】ゴルフのティーショットが行われる水平なプレイ面１１〜１３と、プレイ面を包囲する傾斜面１５、２０、２１とを有する丘形のティーグラウンドの構造１０であって、プレイ面を覆う芝生４０と、プレイ面の芝生を包囲し、傾斜面を覆う、傾斜した石張り施工層３０、３２、３３とを備える。また、プレイ面の外縁部を覆う、水平な石張り施工層３１を備える傾斜面１５が石張り施工層３０で覆われているので、傾斜した面での芝刈りという困難な作業が軽減される。それでありながら、板状石材と芝生のコントラストにより、ティーグラウンド全体の見栄えが良くなる。【選択図】図１
0003217502.tif 000002
【実用新案登録請求の範囲】
【請求項１】
ゴルフのティーショットが行われる水平なプレイ面と、前記プレイ面を包囲する傾斜面とを有する丘形のティーグラウンドの構造であって、
前記プレイ面を覆う芝生と、
前記プレイ面の前記芝生を包囲し、前記傾斜面を覆う、傾斜した石張り施工層とを備えるティーグラウンドの構造。
【請求項２】
前記プレイ面の外縁部を覆う、水平な石張り施工層を備える請求項１に記載のティーグラウンドの構造。
【請求項３】
前記水平な石張り施工層に貫通孔が形成されて、前記貫通孔の内側にスプリンクラーが配置されている請求項２に記載のティーグラウンドの構造。
【請求項４】
異なる高さに位置する複数の前記プレイ面を有し、
前記傾斜した石張り施工層により前記複数のプレイ面が纏めて包囲されている請求項１乃至３の何れか１の請求項に記載のティーグラウンドの構造。
【請求項５】
前記プレイ面同士の間には、横方向の両端部を石張り施工層で覆われ、横方向の中央部を芝生で覆われた中間傾斜面が備えられている請求項４に記載のティーグラウンドの構造。
【請求項６】
前記傾斜面には、前記プレイ面から下方に延び、前記石張り施工層で覆われた階段が備えられている請求項１乃至５の何れか１の請求項に記載のティーグラウンドの構造。
【請求項７】
前記石張り施工層は、
ワイヤーメッシュが埋設されているコンクリート層と、
前記コンクリート層の上面に複数の板状石材を没入させた表面石材層と、
前記コンクリート層の下側にリサイクル砕石を敷き詰めてなる砕石層と、
を含んでなる請求項１乃至６の何れか１の請求項に記載のティーグラウンドの構造。
【請求項８】
前記複数の板状石材は、表面をジェットバーナー仕上げされている請求項７に記載のティーグラウンドの構造。
【請求項９】
前記傾斜した石張り施工層に貫通孔を形成し、その内側が花又は低木を植生してなる花壇を備えた請求項１乃至８の何れかに１の請求項に記載のティーグラウンドの構造。
【考案の詳細な説明】
【技術分野】
【０００１】
本開示は、ゴルフ場に設けられる丘形のティーグラウンドの構造に関する。
【背景技術】
【０００２】
一般にティーグラウンドは、全体を芝生で覆われている（例えば、非特許文献１参照）。
【先行技術文献】
【特許文献】
【０００３】
【非特許文献１】Ｒｕｌｅｓ  ｏｆ  Ｇｏｌｆ、［平成３０年５月３０日検索］、インターネット＜URL：http://www.barryrhodes.com/2014/10/teeing-grounds.html＞
【考案の概要】
【考案が解決しようとする課題】
【０００４】
しかしながら、ティーグラウンドの傾斜面の芝生を芝刈り機でカットすることは困難であり、ティーグラウンド全体を見栄え良い状態に維持するには手間がかかる。これに対し、容易に見栄えが良い状態に維持可能なティーグラウンドの構造の開発が求められている。
【課題を解決するための手段】
【０００５】
上記課題を解決するためになされた請求項１の考案は、ゴルフのティーショットが行われる水平なプレイ面と、前記プレイ面を包囲する傾斜面とを有する丘形のティーグラウンドの構造であって、前記プレイ面を覆う芝生と、前記プレイ面の前記芝生を包囲し、前記傾斜面を覆う、傾斜した石張り施工層とを備えるティーグラウンドの構造である。
【０００６】
請求項２の考案は、前記プレイ面の外縁部を覆う、水平な石張り施工層を備える請求項１に記載のティーグラウンドの構造である。
【０００７】
請求項３の考案は、前記水平な石張り施工層に貫通孔が形成されて、前記貫通孔の内側にスプリンクラーが配置されている請求項２に記載のティーグラウンドの構造である。
【０００８】
請求項４の考案は、異なる高さに位置する複数の前記プレイ面を有し、前記傾斜した石張り施工層により前記複数のプレイ面が纏めて包囲されている請求項１乃至３の何れか１の請求項に記載のティーグラウンドの構造である。
【０００９】
請求項５の考案は、前記プレイ面同士の間には、横方向の両端部を石張り施工層で覆われ、横方向の中央部を芝生で覆われた中間傾斜面が備えられている請求項４に記載のティーグラウンドの構造である。
【００１０】
請求項６の考案は、前記傾斜面には、前記プレイ面から下方に延び、前記石張り施工層で覆われた階段が備えられている請求項１乃至５の何れか１の請求項に記載のティーグラウンドの構造である。
【００１１】
請求項７の考案は、前記石張り施工層は、ワイヤーメッシュが埋設されているコンクリート層と、前記コンクリート層の上面に複数の板状石材を没入させた表面石材層と、前記コンクリート層の下側にリサイクル砕石を敷き詰めてなる砕石層と、を含んでなる請求項１乃至６の何れか１の請求項に記載のティーグラウンドの構造である。
【００１２】
請求項８の考案は、前記複数の板状石材は、表面をジェットバーナー仕上げされている請求項７に記載のティーグラウンドの構造である。
【００１３】
請求項９の考案は、前記傾斜した石張り施工層に貫通孔を形成し、その内側が花又は低木を植生してなる花壇を備えた請求項１乃至８の何れかに１の請求項に記載のティーグラウンドの構造である。
【考案の効果】
【００１４】
請求項１のティーグラウンドの構造では、傾斜面が石張り施工層で覆われているので、傾斜面での芝刈りという困難な作業がなくなるか軽減される。それでありながら、石材と芝生のコントラストにより双方の見栄えが良くなり、ティーグラウンド全体の見栄えが良くなる。つまり、請求項１のティーグラウンドの構造によれば、容易にティーグラウンド全体を見栄えの良い状態に維持することができる。
【００１５】
請求項２のティーグラウンドの構造では、プレイ面の外縁部が石張り施工層で覆われているので、プレイ面上の芝生が傾斜面から離れ、芝刈り機による芝刈り作業が容易になると共に、縁取り効果によりプレイ面が明確になり、見栄えがさらに向上する。
【００１６】
請求項３のティーグラウンドの構造では、水平な石張り施工層の貫通孔内にスプリンクラーが配置されているので、スプリンクラーに躓く不具合を減らすことができる。
【００１７】
請求項４のティーグラウンドの構造によれば、複数のプレイ面が石張り施工層により纏めて包囲されているので統一感が高まり、見栄えが良くなる。
【００１８】
請求項５のティーグラウンドの構造では、プレイ面同士の間の中間傾斜面も、石材と芝生とのコントラストによって見栄えが良くなる。
【００１９】
請求項６のティーグラウンドの構造では、傾斜面に備えた階段も石張り施工層で覆われているので、統一感が高まり、見栄えが良くなると共に、階段の耐久性が向上する。
【００２０】
請求項７のティーグラウンドの構造によれば、石張り施工層の耐久性を高くすることができる。
【００２１】
請求項８のティーグラウンドの構造のように、複数の板状石材の表面は、ジェットバーナー仕上げされているので、趣向性が高くなる。
【００２２】
請求項９のティーグラウンドの構造のように、傾斜した石張り施工層に花壇を設けてもよい。
【図面の簡単な説明】
【００２３】
【図１】第１実施形態に係るティーグラウンドの平面図
【図２】ティーグラウンドの側面図
【図３】ティーグラウンドの側断面図
【図４】石張り施工層の分解斜視図
【図５】スプリンクラー設置部分の斜視図
【図６】階段の斜視図
【図７】（Ａ）第２実施形態に係るティーグラウンドの平面図、（Ｂ）そのティーグラウンドの側面図
【考案を実施するための形態】
【００２４】
［第１実施形態］
図１〜図６に基づいて本実施形態のティーグラウンド１０について説明する。図１に示したティーグラウンド１０は、例えば、プロゴルフトーナメントでも使用されるゴルフ場のロングホールに設けられたものであって、上方から見ると例えば長円形の丘形になっている。また、ティーグラウンド１０の長手方向の前方（図１の下方）には、図示しないフェアウェイが延び、ティーグラウンド１０には、前側から後側に向かって第１〜第３のプレイ面１１，１２，１３が一列に並べて備えられている。
【００２５】
図２に示すように、第１〜第３のプレイ面１１，１２，１３は、何れも略水平になっていて、第１プレイ面１１より第２プレイ面１２が高い位置に配置され、第２プレイ面１２より第３プレイ面１３が高い位置に配置されている。即ち、ティーグラウンド１０は、前側から後側に向かって階段状に高くなっている。
【００２６】
また、第１プレイ面１１と第２プレイ面１２との間、及び、第２プレイ面１２と第３プレイ面１３との間は、傾斜面２０，２１（以下、「中間傾斜面２０，２１」という）になっている。そして、第１〜第３のプレイ面１１，１２，１３の全体が、図１に示すように、平面視が略トラック形状の傾斜面１５によって纏めて包囲されている。
【００２７】
なお、第１プレイ面１１の前部には、レギュラーティーを意味するティーマーカー１１Ｍが設置され、第２プレイ面１２の前部には、バックーティーを意味するティーマーカー１２Ｍが設置され、第３プレイ面１３の前部には、フルバックティーを意味するティーマーカー１３Ｍが設置されている。ゴルフプレイヤーは、第１〜第３のプレイ面１１，１２，１３のうちレベルに応じた何れかのプレイ面上でティーショットを行う。
【００２８】
傾斜面１５のうち前側（図１の下方）から見て左右方向の一方側（右側）には、第１〜第３のプレイ面１１，１２，１３に繋がる階段１７が備えられ、第１〜第３の各プレイ面１１，１２，１３のうち階段１７とは反対側（左側）の外縁部には、スプリンクラー１８が備えられている。なお、傾斜面１５の後部にも、第３プレイ面１３に繋がる階段１７が備えられている。
【００２９】
さて、ティーグラウンド１０は、芝生４０と石張り施工層３０，３１，３２，３３とによって覆われている。傾斜面１５全体は石張り施工層３０によって覆われ、何れの階段１７も石張り施工層３２によって覆われている。また、第１プレイ面１１の後縁部を除いた外縁部全体と、第３プレイ面１３の前縁部を除いた外縁部全体と、第２プレイ面１２の両側の外縁部は、石張り施工層３１によって覆われている。さらに、第２プレイ面１２と第３プレイ面１３との間の中間傾斜面２１における横方向の両端部は、傾斜面１５を覆った石張り施工層３０から連続する石張り施工層３３によって覆われている。そして、それら以外の部分、即ち、第１〜第３のプレイ面１１，１２，１３の上記外縁部の除いた部分と、中間傾斜面２０の全体と、中間傾斜面２１の横方向の中央部とが、芝生４０で覆われている。
【００３０】
具体的には、ティーグラウンド１０は、盛り土又は切り土の土砂によって構成される基礎土壌部１０Ｋを有する。芝生４０は、第１〜第３のプレイ面１１，１２，１３等の基礎土壌部１０Ｋの上に張られている。また、図４に示すように、石張り施工層３０，３１，３２，３３は、砕石層５１とコンクリート層５２と表面石材層５３とからなり、全体の厚さは略１５［ｃｍ］になっている。詳細には、図３に示すように、基礎土壌部１０Ｋの傾斜面１５及び中間傾斜面２１（中間傾斜面２１は図示せず）の上に、リサイクル砕石を敷き詰めて砕石層５１が形成される。また、砕石層５１の上にワイヤーメッシュ５２Ｂが敷設され、そのワイヤーメッシュ５２Ｂが埋没するように砕石層５１の上にコンクリート５２Ａが塗布されてコンクリート層５２が形成される。そして、コンクリート層５２が固化する前に、複数の板状石材５３Ｓがコンクリート層５２に埋め込まれ、板状石材５３Ｓの上面のみが露出した状態に仕上げられて傾斜面１５及び中間傾斜面２１上に傾斜した石張り施工層３０が形成されている。
【００３１】
第１〜第３のプレイ面１１，１２，１３の外縁部には、基礎土壌部１０Ｋを石張り施工層３１の厚さに対応した１５［ｃｍ］程度の深さに掘り下げて陥没部５４が形成されている。そして、陥没部５４内に上記した傾斜した石張り施工層３０と同様の施工方法にて水平な石張り施工層３１が形成されている。また、水平な石張り施工層３１と傾斜した石張り施工層３０とは分けて施工され、それらの間にはコンクリートのみの境界線が形成されている。さらに、スプリンクラー１８へと水を供給する水道管１８Ｐは、図４に示すように石張り施工層３０，３１の下方に配されている。そして、図５に示すように、石張り施工層３１のうち水道管１８Ｐの上方となる位置に貫通孔５５が形成され、その内部に前述のスプリンクラー１８が設置されて水道管１８Ｐに接続されている。
【００３２】
図６に示すように、階段１７は、両側部に、板状の石材か木材からなるサイド部材１７Ｓ，１７Ｓを備える。そして、それらサイド部材１７Ｓ，１７Ｓの間に上記した石張り施工層３０，３１，３３と同様に石張り施工層３２が形成される。階段１７の石張り施工層３２は、黒色系の板状石材５３Ｓが多く使用され、それ以外の石張り施工層３０，３１，３３は、白色系の板状石材５３Ｓの表面にジェットバーナー仕上げを施したものが多く使用されている。
【００３３】
本実施形態のティーグラウンド１０の構造に関する説明は以上である。この構造による効果は以下の通りである。即ち、本実施形態のティーグラウンド１０の構造では、傾斜面１５が石張り施工層３０で覆われているので、傾斜した面での芝刈りという困難な作業が軽減される。それでありながら、板状石材５３Ｓと芝生４０のコントラストにより双方の見栄えが良くなり、ティーグラウンド１０全体の見栄えも良くなる。つまり、本実施形態によれば、容易にティーグラウンド１０全体を見栄えの良い状態に維持することができる。
【００３４】
また、第１〜第３のプレイ面１１，１２，１３が石張り施工層３０により纏めて包囲されているので統一感が高まる。また、高い統一感を有しながらも、第２と第３のプレイ面１２，１３同士の間の中間傾斜面２１に石張り施工層３３を設けたことで、第３プレイ面１３のフルバックティーと、それより前側の第１及び第２のプレイ面１１，１２のレギュラーティー及びバックティーとを明確に差別化することができる。さらに、中間傾斜面２１は、石張り施工層３３と芝生４０とを有するので、板状石材５３Ｓと芝生４０とのコントラストによって見栄えが良くなる。
【００３５】
また、傾斜面１５に備えた階段１７も石張り施工層３２で覆われているので、この点においても統一感が高まる。さらに、同じ石張り施工層であっても階段１７の石張り施工層３２とそれ以外の石張り施工層３０とが色分けされているので、階段１７を見つけ易くなる。
【００３６】
また、第１〜第３のプレイ面１１，１２，１３の外縁部は、水平な石張り施工層３１で覆われているので、プレイ面１１，１２，１３上の芝生４０が傾斜面１５から離れ、芝刈り機による芝刈り作業が容易になると共に、縁取り効果によりプレイ面１１，１２，１３が明確になり、見栄えがさらに向上する。なお、水平な石張り施工層３１の貫通孔５５内にスプリンクラー１８が配置されているので、スプリンクラー１８に躓く不具合を減らすことができる。
【００３７】
［第２実施形態］
図７（Ａ）に示すように、本実施形態のティーグラウンド１０Ｖは、ゴルフ場のショートホールに設けられたものであって、円錐台形状の丘形になっている。そして、その傾斜面１５が石張り施工層３０で覆われ、頂上の円形のプレイ面１１Ｖの外縁部が石張り施工層３１で覆われ、さらに、プレイ面１１Ｖのうち石張り施工層３１より内側部分が芝生４０で覆われている。また、傾斜面１５の一部には階段１７が備えられ、その階段１７も石張り施工層３２で覆われている。これら石張り施工層３０，３１，３２は、前記第１実施形態のそれらと同じ断面構造を有する。また、傾斜面１５上の石張り施工層３０には、１対の貫通孔５０が形成されて、そこに低木の植物を植生されて花壇６０が形成されている。
［他の実施形態］
【００３８】
（１）前記実施形態のティーグラウンド１０，１０Ｖは、傾斜面１５全体を石張り施工層３０で覆われていたが、傾斜面１５の一部が石張り施工層３０以外の例えば、芝生や砂利で覆われていてもよい。
【００３９】
（２）前記実施形態のティーグラウンド１０，１０Ｖの傾斜面１５を覆う石張り施工層３０が、例えば、ゴルフ場の休憩所や側道まで延びた構造にしてもよい。
【符号の説明】
【００４０】
１０，１０Ｖ    ティーグラウンド
１０Ｋ    基礎土壌部
１１，１２，１３    第１〜第３のプレイ面
１１Ｖ    プレイ面
１７    階段
１８    スプリンクラー
２０，２１    中間傾斜面
３０，３１，３２，３３    石張り施工層
４０    芝生
５０，５５    貫通孔
５１    砕石層
５２    コンクリート層
５２Ａ  コンクリート
５２Ｂ  ワイヤーメッシュ
５３    表面石材層
５３Ｓ  板状石材
６０    花壇
【図１】
0003217502.tif 000003
【図２】
0003217502.tif 000004
【図３】
0003217502.tif 000005
【図４】
0003217502.tif 000006
【図５】
0003217502.tif 000007
【図６】
0003217502.tif 000008
【図７】
0003217502.tif 000009